【手続補正書】
【提出日】平成20年2月12日(2008.2.12)
【手続補正１】
【補正対象書類名】特許請求の範囲
【補正対象項目名】全文
【補正方法】変更
【補正の内容】
【特許請求の範囲】
【請求項１】
サーバから主コンテンツをダウンロードする際に顧客へ補助コンテンツを提供するシステムにおいて、
ダウンロード管理サーバ、ユーザ情報を記憶する顧客データベース及び主コンテンツを記憶する主コンテンツ・データベースを有するサーバネットワークと、
双方向通信ネットワークを介して前記ダウンロード管理サーバに接続して該ダウンロード管理サーバとの間で通信リンクを確立するクライアント・コンソールと、
前記クライアント・コンソールにあって、ユーザ識別子及び補助コンテンツを記憶する記憶装置であって、前記ダウンロード管理サーバからの主コンテンツのダウンロードより前に前記補助コンテンツを記憶する記憶装置とを備え、
前記ユーザ識別子が前記クライアント・コンソールから前記ダウンロード管理サーバへアップロードされると前記主コンテンツ・データベースと通信を行い、前記ユーザ識別子は、前記主コンテンツ・データベースの主コンテンツ要求が可能となるように用いられ、また、前記記憶装置に記憶されている特定の補助コンテンツが前記記憶装置から読みだされて、要求された主コンテンツのダウンロードの際に前記クライアント・コンソールによって実行可能となり、前記特定の補助コンテンツが選択されて、前記ユーザ識別子の前記ダウンロード管理サーバへのアップロードに応答して前記クライアント・コンソールにダウンロードされたユーザ情報に基づくダウンロードの際に、前記クライアント・コンソールにおいて実行される、システム。
【請求項２】
請求項１記載のシステムにおいて、補助コンテンツは顧客の選好に基づいて可変である、システム。
【請求項３】
請求項２記載のシステムにおいて、前記顧客の選好は、顧客が情報設定値を入力することによって、さらに、１つ以上の個別コンテンツの選択候補及び１つ以上のコンテンツ・カテゴリの選択候補から選ばれたものを顧客に供給することによって決定される、システム。
【請求項４】
請求項１記載のシステムにおいて、補助コンテンツはディストリビュータの選好に基づいて可変である、システム。
【請求項５】
請求項４記載のシステムにおいて、前記ディストリビュータの選好は、先ず、要求されたコンテンツを送出する前に、コンテンツを割り当てるために用いる顧客の選好を前記ダウンロード管理サーバに送出させ、次いで、選好データに従って前記記憶装置内に記憶されたコンテンツを前記クライアント・コンソールに実行させることにより決定される、システム。
【請求項６】
請求項５記載のシステムにおいて、前記選好データは１つ以上の個別コンテンツの選択候補及び１つ以上のコンテンツ・カテゴリの選択候補から選択される、システム。
【請求項７】
請求項１記載のシステムにおいて、補助コンテンツは通信ネットワークを介して取得されて、前記記憶装置へ配布される、システム。
【請求項８】
請求項７記載のシステムにおいて、前記記憶装置はハードディスク・ドライブである、システム。
【請求項９】
請求項１記載のシステムにおいて、前記クライアント・コンソールは、更に、顧客の内部又は外部に配置された固定記憶装置を有し、要求された主コンテンツが該固定記憶装置へダウンロードされる、システム。
【請求項１０】
請求項１記載のシステムにおいて、補助コンテンツは可搬形記憶装置で提供され、該可搬形記憶装置は補助コンテンツを記憶する、システム。
【請求項１１】
請求項１０記載のシステムにおいて、前記可搬形記憶装置はＣＤ−ＲＯＭである、システム。
【請求項１２】
請求項１記載のシステムにおいて、前記記憶装置は、前記クライアント・コンソール内に着脱自在な記憶装置である、システム。
【請求項１３】
請求項１２記載のシステムにおいて、前記着脱可能な記憶装置には、複数の補助コンテンツ項目、該補助コンテンツ項目の各々に夫々関連した複数のトリガ・データ項目及びユーザ識別子を有するデータが記憶されている、システム。
【請求項１４】
請求項１記載のシステムにおいて、前記ユーザ情報は、前記トリガ・データ項目との比較に基づいて特定の補助コンテンツ項目の実行をトリガするように用いられる、システム。
【請求項１５】
請求項１４記載のシステムにおいて、前記ユーザ識別子は、前記着脱可能な記憶装置を識別する英数字の媒体ＩＤを有している、システム。
【請求項１６】
請求項１記載のシステムにおいて、前記補助コンテンツは、画像、映画、音楽、ゲーム、顧客調査及びくじよりなる群から選択される、システム。
【請求項１７】
請求項１記載のシステムにおいて、情報が前記ダウンロード管理サーバから前記クライアント・コンソールへダウンロードされて、その情報との比較に基づいて特定の補助コンテンツ項目の実行をトリガする、システム。
【請求項１８】
双方向通信ネットワークを介してサーバネットワークから主コンテンツをダウンロードする際に記憶装置から補助コンテンツを提供する方法において、
内部に前記記憶装置を装着したクライアント・コンソールと、前記サーバネットワークの一部であるダウンロード管理サーバとの間に、前記双方向通信ネットワークを介して通信リンクを確立し、
前記ダウンロード管理サーバから主コンテンツを検索するために、前記記憶装置に蓄積されているユーザ識別子データと主コンテンツの要求とを前記ダウンロード管理サーバに送出し、
前記クライアント・コンソールへ主コンテンツをダウンロードする際に、前記記憶装置に蓄積されている補助コンテンツにアクセスかつ読み出しをして該補助コンテンツを実行し、
前記送出されたユーザ識別子により得られたユーザ情報に基づいて前記クライアント・コンソールによってアクセスされる前記補助コンテンツを選択し、前記ユーザ情報が、顧客又は主コンテンツのディストリビュータから提供される選好を含むユーザ情報からなる、諸ステップを含む、方法。
【請求項１９】
請求項１８記載の方法において、前記ユーザ識別子データは、前記記憶装置を識別する英数字の媒体ＩＤを有しており、また前記記憶装置は、更に、前記ダウンロード管理サーバへのアクセスを可能にする認証コードを含み、更に、前記媒体ＩＤ及び前記認証コードを前記ダウンロード管理サーバにおいて受け取るステップを含み、前記認証コード及び前記媒体ＩＤの一方により、前記サーバネットワークについてのアクセスが、全ての主コンテンツの中から特定の主コンテンツに限定される、方法。
【請求項２０】
請求項１８記載の方法において、前記補助コンテンツにアクセスするステップは、更に、前記ユーザ情報と、前記補助コンテンツを構成する１つ以上の補助コンテンツ項目に関連したトリガ・データとを比較するステップを有する、方法。
【請求項２１】
請求項１８記載の方法において、前記ダウンロード管理サーバから前記クライアント・コンソールへダウンロードするステップが、前記クライアント・コンソールの内部又は外部に配置された固定記憶装置に主コンテンツを記憶することを有する、方法。
【請求項２２】
サーバから主コンテンツをダウンロードする際に補助コンテンツを提供するシステムにおいて、
ダウンロード管理サーバ、顧客情報を記憶する顧客データベース及び主コンテンツを記憶する主コンテンツ・データベースを有するサーバネットワークと、
前記ダウンロード管理サーバからの主コンテンツのダウンロードより前に補助コンテンツを記憶する記憶装置とを備え、
顧客識別子が前記ダウンロード管理サーバへアップロードされると前記主コンテンツ・データベース内の要求された主コンテンツにアクセス可能となり、前記記憶装置に記憶されている特定の補助コンテンツが、前記記憶装置から読みだされて、前記要求された主コンテンツのダウンロードの際に実行可能となり、また、前記特定の補助コンテンツが、アップロードされた前記顧客識別子に応答して前記顧客データベースから得られた顧客情報によって選択される、システム。